(57)【特許請求の範囲】
【請求項１】
抗原又は抗体を担持した不溶性担体を用い、該抗原又は抗体に対応する抗体又は抗原を測定する抗原抗体反応の判定方法であって、
前記測定は２度行うものであり、
第１回目の検体測定で抗原抗体反応を呈した検体について第２回目の検体測定を行い、第２回目の検体測定では抗原又は抗体を担持した不溶性担体と担持されていない同種の抗原又は抗体との混合物を試薬として用い、第１回目の検体測定に対する第２回目の検体測定の反応の減少度合を測定することにより、特異的反応であるか非特異的反応であるかを判定することを特徴とする抗原抗体反応の判定方法。
【発明の詳細な説明】
【０００１】
【発明の属する技術分野】
本発明は、免疫学的測定方法の分野に属し、詳しくは、抗原抗体反応を利用した測定に関し、その測定結果の簡便かつ精度の高い判定方法に関する。
【０００２】
【従来の技術】
抗原抗体反応は、微量成分の検出のために、日常的に利用されている。免疫学的測定方法においては、測定された結果が抗原抗体反応によるかどうかを判定することが重要な意味を有する。例えば、特開平０２−８０９５６号公報には、スライド上等の基体表面上にて、凝集反応試薬と混合し、抗原−抗体反応の結果生じる凝集像を観察し、判定し、その後、ｐＨを３．０以下、若しくは９．０以上に変化させ、またイオン濃度を０．５Ｍ以上とし、高濃度のカオトオロピックイオンを含む化学物質を添加して、凝集が乖離するかどうかで、非特異凝集かどうかを確認する方法が開示されている。
【０００３】
また、特表平１１−５１１２５５号公報には、ＩｇＭ抗体に特異的な結合構成員を固定した固定材料を含む試薬を形成し、固相材料に結合してＩｇＭ抗体からＩｇＧ抗体から乖離を起こすのに充分低いｐＨとすることにより、判定する方法が開示されている。
【０００４】
免疫反応を用いる方法は、特異的な抗原−抗体反応を利用するため、測定特異性の高い方法である。しかし、検体の状態等により、非特異的凝集反応を起こす場合があり、この場合には、測定結果に誤差が生じる場合がある。
【０００５】
このような問題を解決するため、抗原抗体反応か非特異的凝集反応かを確認する手段として、上記の例では、起こった反応が抗原抗体反応であった場合の抗原抗体反応の乖離条件（ｐＨの変化、イオン強度、カオトロピックイオンの変化等）により、判定しているが、このような方法においては、抗原抗体反応以外の非特異的な反応の場合も乖離が起こる場合があり、抗原抗体反応かどうかを判定できないことがある。
【０００６】
【発明が解決しようとする課題】
上記現状に鑑み、本発明は、非特異的凝集反応が起こったか否かにかかわらず、正確な測定結果を得ることができる免疫学的測定方法を確立することができる判定方法を提供することを目的とする。
【０００７】
【課題を解決するための手段】
本発明は、抗原又は抗体を担持した不溶性担体を用い、該抗原又は抗体に対応する抗体又は抗原を測定する抗原抗体反応の判定方法であって、前記測定は２度行うものであり、第１回目の検体測定で抗原抗体反応を呈した検体について第２回目の検体測定を行い、第２回目の検体測定では抗原又は抗体を担持した不溶性担体と担持されていない同種の抗原又は抗体との混合物を試薬として用い、第１回目の検体測定に対する第２回目の検体測定の反応の減少度合を測定することにより、特異的反応であるか非特異的反応であるかを判定する抗原抗体反応の判定方法である。
以下に本発明を詳述する。
【０００８】
本発明では、抗原抗体反応の確認に際して、反応に供する試薬を、予め不溶性担体に担持した抗体又は抗原と同様の特異性をもつ抗体又は抗原を含有させた試薬と交換して、再測定することにより、検体中の抗原又は抗体と試薬中の不溶性担体に担持された抗原又は抗体と含有された抗原又は抗体が，競合しながら検体中の抗体又は抗原と反応する。このような手段を取ることにより，検体を別容器に移し変えたりする手間なく、競合反応による抗原・抗体反応の減少度合を見ることで、特異性を保ったまま、非常に簡便に抗原抗体反応の確認を行うことができる。
【０００９】
上記の不溶性担体に吸着又は結合する、また、試薬に含有される抗原としては特に限定されず、例えば、蛋白質抗原、脂質抗原、ハプテン、ハプテンをキャリア（たとえばＢＳＡのような蛋白質）に結合させたもの等、免疫測定法に用いることが可能であれば、その性状は問わない。また、精製蛋白質等の場合、不溶性担体に吸着又は結合するものと同様の特異性をもつものであれば、動物種、組織等が同一由来である必要はない。
【００１０】
不溶性担体に吸着又は結合する、また、試薬に含有される抗体としては、ポリクローナル抗体、モノクローナル抗体のいずれもが用いることが可能であり、また、Ｆａｂ、Ｆ（ａｂ’）2、Ｆａｂ’等のその酵素消化断片を使用することもできる。また、不溶性担体に吸着、結合する抗体と必ずしも同一の種由来の抗体である必要はなく、また、一方がモノクローナル抗体で、もう一方がポリクローナル抗体であってもかまわない。上記不溶性担体としては特に限定されないが、着色ラテックス等が好適に用いられる。
【００１１】
抗原又は抗体を溶解する場合には、水、緩衝液等特に限定されない。また、抗原又は抗体を容器に収容後、凍結乾燥等で蒸発させてもかまわない。
【００１２】
測定系も免疫測定法であれば、特に限定されない。酵素免疫測定法であっても不溶性担体（ラテックス等）の凝集を見る方法、また、不溶性担体に担持されずに抗原−抗体の凝集を見る方法でも限定はされない。すなわち、抗原−抗体を主な測定原理とする方法であれば特に限定はされない。
【００１３】
中和率も数値に限定はない。判定を容易にするためには，判定基準として中和率を５０％以上の高値とできるほうが好ましいが、力価の高い抗体、精製度の高い抗原等が手に入りにくい場合においても、中和の有無が判別できれば本発明を妨げるものではない。
【００１４】
【実施例】
以下に実施例を掲げて本発明を更に詳しく説明するが、本発明はこれら実施例のみに限定されるものではない。
（ＨＢｓ抗原測定時の判定）
【００１５】
１  ＨＢｓ抗原感作ラテックス液の調製
ＨＢｓ抗原を２．０ｍｇ／ｍＬの濃度で１０ｍＭトリス塩酸緩衝液（ｐＨ７．４）に溶解した液７．５ｍＬに、平均粒径が０．３μｍのポリスチレンラテックス（固形分１０％（Ｗ／Ｖ）、積水化学工業社製）１ｍＬとリン酸−食塩緩衝液（０．０３６Ｍ  リン酸緩衝液（ｐＨ６．６）、０．１Ｍ  ＮａＣｌ、以下、緩衝液ともいう）とを添加し、３７℃にて６０分攪拌した。次いで、この液にウシ血清アルブミン（以下、ＢＳＡともいう）を１重量％含有するリン酸−食塩緩衝液（０．０５Ｍ  リン酸緩衝液（ｐＨ７．０）、０．１Ｍ  ＮａＣｌ、以下、０．０５ＭＰＢＳともいう）を添加し、３７℃にて６０分間攪拌した後、４℃にて２０分間、１８０００ｒｐｍで遠心分離することにより洗浄した。洗浄操作は３回行った。得られた沈殿物にＢＳＡを１重量％含有する０．０５ＭＰＢＳ１０ｍＬを添加し、ラテックスを懸濁した後、超音波破砕機にて分散処理を行い、固形分０．１％（Ｗ／Ｖ）のＨＢｓ抗原感作ラテックス液（以下、ラテックス懸濁液ともいう）を調製した。
【００１６】
２  測定
試薬として上記にて調製されたラテックス懸濁液を用い、標準品としてＨＢｓ抗体標準血清（積水化学工業社製）を用いた。
ヒト血清として、Ｂ型肝炎ワクチン接種を行ったヒトより得たヒト陽性血清（Ａ〜Ｃ）及びヒト陰性血清（Ｄ〜Ｆ）を用いた。
【００１７】
２．１  ＨＢｓ抗原含有ラテックス懸濁液の調製
（１）精製ＨＢｓ抗原の希釈
精製ＨＢｓ抗原を緩衝液で希釈して１０μｇ／ｍＬの濃度の溶液を調製した（以下、ＨＢｓ抗原希釈液ともいう）。
【００１８】
（２）希釈ＨＢｓ抗原中和能の確認
上記試薬及び上記標準品を用いて、検体（標準品）２０μＬ、緩衝液１２０μＬ及びラテックス懸濁液１２０μＬを混合した後、３０秒から４分３０秒後までの波長７５０ｎｍにおける吸光度の変化を測定し、検量線を作成した。測定には日立７１５０形自動分析装置を用いた。
標準品：０、１５０、３００、６００、１２００ｍＩＵ／ｍＬの５点について測定した。結果を表１に示した。
以下の測定においては、この検量線を用いた。
【００１９】
【表１】
0003692056.tif 000002
【００２０】
次に、標準品（１２００ＩＵ／ｍＬ）にＨＢｓ抗原希釈液１０μＬを加えて室温で３０分放置したものを検体として測定し、下記式（１）に従って、中和率を求めた。結果を表２に示した。
【００２１】
【数１】
0003692056.tif 000003
【００２２】
【表２】
0003692056.tif 000004
【００２３】
（３）ラテックス懸濁液へのＨＢｓ抗原の混合
精製ＨＢｓ抗原を０．３７μｇ／ｍＬの濃度となるようにラテックス懸濁液に添加し、室温でスターラーを用いて３０分攪拌した。これをＨＢｓ抗原含有ラテックス懸濁液とした。
【００２４】
（４）ＨＢｓ抗原含有ラテックス懸濁液の中和能の確認
標準品（１２００ＩＵ／ｍＬ）について、ラテックス懸濁液をＨＢｓ抗原含有ラテックス懸濁液に換えて測定を行った。ラテックス懸濁液を用いたときの測定値と、ＨＢｓ抗原含有ラテックス懸濁液を用いたときの測定値より、上記式（１）に従って中和率を求めた。結果を表３に示した。
【００２５】
【表３】
0003692056.tif 000005
【００２６】
２．２  検体の測定
（１）まず、ヒト血清（Ａ〜Ｆ）を検体として測定を行った。
（２）次に、ラテックス懸濁液をＨＢｓ抗原含有ラテックス懸濁液に換え、ヒト血清（Ａ〜Ｆ）を検体として測定を行った。
（３）（１）及び（２）の測定値より、上記式（１）に従って中和率を求めた。結果を表４に示した。
【００２７】
【表４】
0003692056.tif 000006
【００２８】
通常判定では、３０ｍＩＵ／ｍＬ以上を陽性（＋）と判定した。また、中和試験後は、１２００ｍＩＵ／ｍＬでの中和率より、９０％以上の中和率の場合を中和状態と判定した。
【００２９】
表４に示したように、通常判定では陽性血清Ａ〜Ｃ、陰性血清Ｄ及びＦについては誤りなく判定したものの、陰性血清Ｅについて誤って陽性と判定した。しかし、中和後に判定を行うことにより６種類の血清すべてについて正確に判定することができた。
【００３０】
【発明の効果】
上記の結果のように、検体によっては非特異的凝集反応を起こすことがあり、そのままでは、陰性検体を陽性と誤判定する場合があるが、本発明による中和試験を行うことによって、より正確に測定を行うことができる。